(57)【要約】【課題】二個の蓋体の開閉により箱体内に上下両方の開口部から収納使用することができ、使用の利便性を高めることができ、着脱中底片及び着脱仕切片を取り外すことにより一方の蓋体を底面とする深さや幅の大きな収納部分を得ることができ、このため、収納すべき物品の大小に応じて収納部分の大きさを変更することができ、それだけ、収納の融通性を高めることができ、一層使用の利便性を高めることができる。【解決手段】上方及び下方に開口部２・２をもつ箱体１と、該箱体の両開口部をそれぞれ開閉可能な二個の蓋体４・４と、該箱体の内部を上下二つの区画部に区画する中底体７と、該それぞれの区画部内を複数個の収納部に仕切る仕切体８とからなり、上記仕切体は仕切着脱部９により着脱自在な着脱仕切片８ｃ・８・ｄ８ｅを含んでなると共に上記中底体７は中底着脱部１０により着脱自在な着脱中底片７ａを含んでなる。【選択図】　　　　図１
2004090978.tif 000002
【特許請求の範囲】
【請求項１】
上方及び下方に開口部をもつ箱体と、該箱体の両開口部をそれぞれ開閉可能な二個の蓋体と、該箱体の内部を上下二つの区画部に区画する中底体と、該それぞれの区画部内を複数個の収納部に仕切る仕切体とからなり、上記仕切体は仕切着脱部により着脱自在な着脱仕切片を含んでなると共に上記中底体は中底着脱部により着脱自在な着脱中底片を含んでなることを特徴とする整理箱。
【請求項２】
上記仕切体は着脱自在な複数個の着脱仕切片及び固定仕切片からなることを特徴とする請求項１記載の整理箱。
【請求項３】
上記中底体は着脱自在な複数個の着脱中底片及び固定中底片からなることを特徴とする請求項１又は２記載の整理箱。
【請求項４】
上記仕切着脱部は上下方向に延びる縦溝部及び該縦溝部に摺動係止可能な係止部からなることを特徴とする請求項１〜３のいずれか１項に記載の整理箱。
【請求項５】
上記中底着脱部は横溝部及び該横溝部に差し込み可能な差込部からなることを特徴とする請求項１〜４のいずれか１項に記載の整理箱。
【発明の詳細な説明】
【０００１】
【発明の属する技術分野】
本発明は例えば釣り用具、建築用具、機械部品等の物品整理に用いられる整理箱に関するものである。
【０００２】
【従来の技術】
従来、この種の整理箱として、上方及び下方に開口部をもつ箱体と、該箱体の両開口部をそれぞれ開閉可能な二個の蓋体と、該箱体の内部を上下二つの区画部に区画する中底体と、該それぞれの区画部内を複数個の収納部に仕切る仕切体とからなる構造のものが知られている。
【０００３】
しかして、箱体の内部が中底体により上下二つの区画部に区画され、上側の蓋体を開閉することにより一方の区画部内を中底体を底面とする各種の物品の収納部として使用する共に他方の蓋体を開閉することにより他方の区画部内を中底体を底面とする収納部として使用することになる。
【０００４】
【発明が解決しようとする課題】
しかしながら収納すべき物品の大きさは大小様々であり、箱体の内部が中底体により上区画部及び下区画部に区画されているため、物品においては、中底体の存在により収納部の深さが足りずに収納することができないことがあるという不都合を有している。
【０００５】
【課題を解決するための手段】
本発明はこのような不都合を解決することを目的とするもので、本発明のうちで、請求項１記載の発明は、上方及び下方に開口部をもつ箱体と、該箱体の両開口部をそれぞれ開閉可能な二個の蓋体と、該箱体の内部を上下二つの区画部に区画する中底体と、該それぞれの区画部内を複数個の収納部に仕切る仕切体とからなり、上記仕切体は仕切着脱部により着脱自在な着脱仕切片を含んでなると共に上記中底体は中底着脱部により着脱自在な着脱中底片を含んでなることを特徴とする整理箱にある。
【０００６】
又、請求項２記載の発明は、上記仕切体は着脱自在な複数個の着脱仕切片及び固定仕切片からなることを特徴とするものであり、又、請求項３記載の発明は、上記中底体は着脱自在な複数個の着脱中底片及び固定中底片からなることを特徴とするものであり、又、請求項４記載の発明は、上記仕切着脱部は上下方向に延びる縦溝部及び該縦溝部に摺動係止可能な係止部からなることを特徴とするものであり、又、請求項５記載の発明は、上記中底着脱部は横溝部及び該横溝部に差し込み可能な差込部からなることを特徴とするものである。
【０００７】
【発明の実施の形態】
図１乃至図１２は本発明の実施の形態例を示し、１は箱体であって、合成樹脂により製作され、環帯板状の周壁部１ａの上方及び下方にそれぞれ開口部２・２が形成され、一方の側面に提げ手３が起倒自在に設けられている。
【０００８】
４・４は蓋体であって、上記箱体１の両開口部２・２をそれぞれヒンジ部５・５及び掛止部６・６により開閉可能に構成されている。
【０００９】
７は中底体であって、この場合、着脱自在な四個の着脱中底片７ａ・７ａ・７ａ・７ａ及び周壁部１ａに一体成形された一個の固定中底片７ｂからなり、この中底体７により箱体１の内部を上下二つの区画部Ｍ・Ｍに区画するように構成している。
【００１０】
８は仕切体であって、この場合、周壁部１ａに一体成形されて上下の区画部Ｍ・Ｍを中程部でそれぞれ左右に区画する固定仕切片８ａと、周壁部１ａに一体成形されて固定仕切片８ａにより左右に区画された上下二個ずつの計四個の小区画部Ｍ１・Ｍ１・Ｍ１・Ｍ１のうちの左右一方側の上下の小区画部Ｍ１・Ｍ１をそれぞれ更に二つ小区画部Ｍ２・Ｍ２に区画する固定仕切片８ｂ・８ｂと、この固定仕切片８ｂ・８ｂにより区画された上下二個ずつの計四個の小区画部Ｍ２・Ｍ２・Ｍ２・Ｍ２をそれぞれ上下四個ずつの計八個の収納部Ｆ・Ｆ・Ｆ・Ｆに区画する上下二個ずつの計四個の着脱仕切片８ｃ・８ｃ・８ｃ・８ｃと、上記固定仕切片８ａにより左右に区画された上下二個ずつの計四個の小区画部Ｍ１・Ｍ１・Ｍ１・Ｍ１のうちの左右他方側の上下の小区画部Ｍ１・Ｍ１をそれぞれ更に二つ小区画部Ｍ３・Ｍ３に区画する相互に連結可能な一対の着脱仕切片８ｄ・８ｄ及び８ｄ・８ｄと、この着脱仕切片８ｄ・８ｄ・８ｄ・８ｄにより区画された上下二個ずつの計四個の小区画部Ｍ３・Ｍ３・Ｍ３・Ｍ３をそれぞれ上下四個ずつの計八個の収納部Ｋ・Ｋ・Ｋ・Ｋに区画する上下二個ずつの計四個の着脱仕切片８ｅ・８ｅ・８ｅ・８ｅとから構成されている。
【００１１】
この場合、上記着脱仕切片８ｃ・８ｃ・８ｃ・８ｃ・８ｄ・８ｄ・８ｄ・８ｄ・８ｅ・８ｅ・８ｅ・８ｅは箱体１の周壁部１ａ、着脱仕切片８ｃ・８ｃ・８ｃ・８ｃ・８ｄ・８ｄ・８ｄ・８ｄに形成された上下方向に延びる選定使用される複数個の縦溝部９ａ及び着脱仕切片８ｃ・８ｃ・８ｃ・８ｃ・８ｅ・８ｅ・８ｅ・８ｅに形成された縦溝部９ａに摺動係止可能な係止部９ｂからなる仕切着脱部９により着脱自在に設けられ、かつ、一対の着脱仕切片８ｄ・８ｄ及び８ｄ・８ｄは各対向位置に形成された縦溝部９ａ及び係止部９ｂにより着脱自在に連結されていると共に固定仕切片８ａ及び周壁部１ａに形成された縦溝部９ａ及び着脱仕切片８ｄ・８ｄに形成された係止部９ｂにより着脱自在に設けられている。
【００１２】
又、上記着脱中底片７ａ・７ａ・７ａ・７ａは周壁部１ａに形成された横溝部１０ａ及び着脱中底片７ａ・７ａ・７ａ・７ａに形成された横溝部１０ａに差し込み可能な差込部１０ｂからなる中底着脱部１０により着脱自在に設けられ、かつ、着脱仕切片８ｄ・８ｄ・８ｄ・８ｄ・８ｅ・８ｅ・８ｅ・８ｅの底面上に載置されるように構成している。
【００１３】
この実施の形態例は上記構成であるから、上方及び下方に開口部２・２をもつ箱体１に両開口部２・２をそれぞれ開閉可能な二個の蓋体４・４が設けられ、箱体１の内部は中底体７により上下二つの区画部Ｍ・Ｍに区画され、それぞれの区画部Ｍ・Ｍ内は仕切体８により複数個の収納部Ｋ・Ｋ・Ｋ・Ｋ・Ｆ・Ｆ・Ｆ・Ｆ・Ｋ・Ｋ・Ｋ・Ｋ・Ｆ・Ｆ・Ｆ・Ｆに仕切られてなるから、図２、図１０の如く、二個の蓋体４・４開閉により箱体１内に上下両方の開口部２・２から収納使用することができ、使用の利便性を高めることができ、この場合、上記仕切体７は仕切着脱部９により着脱自在な着脱仕切片８ｄ・８ｅを含んでなると共に上記中底体７は中底着脱部１０により着脱自在な着脱中底片７ａを含んでなるから、図１１の如く、二個の着脱中底片７ａ・７ａ及び上下二個の着脱仕切片８ｄ・８ｄを取り外すことにより一方の蓋体２を底面とする収納部Ｋの倍の深さの収納部分を得ることができ、さらには、図１２の如く、四個の着脱中底片７ａ・７ａ・７ａ・７ａ及び四個の着脱仕切片８ｄ・８ｄ・８ｄ・８ｄ及び四個の着脱仕切片８ｅ・８ｅ・８ｅ・８ｅを取り外すことにより一方の蓋体２を底面とする収納部Ｋの倍の深さであって倍の幅の収納部分を得ることができ、このため、収納すべき物品の大小に応じて収納部分の大きさを変更することができ、それだけ、収納の融通性を高めることができ、一層使用の利便性を高めることができる。
【００１４】
又、この場合、上記仕切体８は着脱自在な複数個の着脱仕切片８ｃ・８ｄ・８ｅ及び固定仕切片８ａ・８ｂからなるので、収納部分の大きさを可変することができる部分とできない部分とが存在することになると共に着脱仕切片８ｃ・８ｄ・８ｅにより収納部Ｆ・Ｋの大きさを変えることができ、それだけ収納の融通性を高めることができ、又、この場合、上記中底体７は着脱自在な複数個の着脱中底片７ａ及び固定中底片７ｂからなるので、収納部分の大きさを可変することができる部分とできない部分とが存在することになり、それだけ収納の融通性を高めることができ、又、この場合、上記仕切着脱部９は上下方向に延びる縦溝部９ａ及び縦溝部９ａに摺動係止可能な係止部９ｂからなるので、着脱仕切片８ｃ・８ｄ・８ｅを容易に着脱することができると共に簡素な構造となって容易に製作することができ、又、この場合、上記中底着脱部１０は横溝部１０ａ及び横溝部１０ａに差し込み可能な差込部１０ｂからなるので、着脱中底片７ａを容易に着脱することができると共に簡素な構造となって容易に製作することができる。
【００１５】
尚、本発明は上記実施の形態例に限られるものではなく、箱体１、蓋体４、中底体７、仕切体８の形態や着脱仕切片８ｃ・８ｄ・８ｅ、着脱中底片７ａの数及び仕切着脱部９、中底着脱部１０の構造、形状等は適宜変更して設計される。
【００１６】
【発明の効果】
本発明は上述の如く、請求項１記載の発明にあっては、上方及び下方に開口部をもつ箱体に両開口部をそれぞれ開閉可能な二個の蓋体が設けられ、箱体の内部は中底体により上下二つの区画部に区画され、それぞれの区画部内は仕切体により複数個の収納部に仕切られてなるから、二個の蓋体の開閉により箱体内に上下両方の開口部から収納使用することができ、使用の利便性を高めることができ、この場合、上記仕切体は仕切着脱部により着脱自在な着脱仕切片を含んでなると共に上記中底体は中底着脱部により着脱自在な着脱中底片を含んでなるから、着脱中底片及び着脱仕切片を取り外すことにより一方の蓋体を底面とする深さや幅の大きな収納部分を得ることができ、このため、収納すべき物品の大小に応じて収納部分の大きさを変更することができ、それだけ、収納の融通性を高めることができ、一層使用の利便性を高めることができる。
【００１７】
又、請求項２記載の発明にあっては、上記仕切体は着脱自在な複数個の着脱仕切片及び固定仕切片からなるので、収納部分の大きさを可変することができる部分とできない部分とが存在することになると共に着脱仕切片により収納部の大きさを変えることができ、それだけ収納の融通性を高めることができ、又、請求項３記載の発明にあっては、上記中底体は着脱自在な複数個の着脱中底片及び固定中底片からなるので、収納部分の大きさを可変することができる部分とできない部分とが存在することになり、それだけ収納の融通性を高めることができ、又、請求項４記載の発明にあっては、上記仕切着脱部は上下方向に延びる縦溝部及び縦溝部に摺動係止可能な係止部からなるので、着脱仕切片を容易に着脱することができると共に簡素な構造となって容易に製作することができ、又、請求項５記載の発明にあっては、上記中底着脱部は横溝部及び横溝部に差し込み可能な差込部からなるので、着脱中底片を容易に着脱することができると共に簡素な構造となって容易に製作することができる。
【００１８】
以上の如く、所期の目的を充分達成することができる。
【図面の簡単な説明】
【図１】本発明の実施の形態例の全体斜視図である。
【図２】本発明の実施の形態例の全体断面図である。
【図３】本発明の実施の形態例の全体断面図である。
【図４】本発明の実施の形態例の部分拡大平面図である。
【図５】本発明の実施の形態例の部分拡大平断面図である。
【図６】本発明の実施の形態例の部分分解斜視図である。
【図７】本発明の実施の形態例の着脱仕切片の斜視図である。
【図８】本発明の実施の形態例の他の着脱仕切片の斜視図である。
【図９】本発明の実施の形態例の着脱中底片の斜視図である。
【図１０】本発明の実施の形態例の使用状態の側断面図である。
【図１１】本発明の実施の形態例の使用状態の側断面図である。
【図１２】本発明の実施の形態例の使用状態の側断面図である。
【符号の説明】
Ｆ　収納部
Ｋ　収納部
１　箱体
２　開口部
４　蓋体
７　中底体
７ａ　着脱中底片
７ｂ　固定中底片
８　仕切体
８ａ　固定仕切片
８ｂ　固定仕切片
８ｃ　着脱仕切片
８ｄ　着脱仕切片
８ｅ　着脱仕切片
９　仕切着脱部
９ａ　縦溝部
９ｂ　係止部
１０　中底着脱部
１０ａ　横溝部
１０ｂ　差込部
【図１】
2004090978.tif 000003
【図２】
2004090978.tif 000004
【図３】
2004090978.tif 000005
【図４】
2004090978.tif 000006
【図５】
2004090978.tif 000007
【図６】
2004090978.tif 000008
【図７】
2004090978.tif 000009
【図８】
2004090978.tif 000010
【図９】
2004090978.tif 000011
【図１０】
2004090978.tif 000012
【図１１】
2004090978.tif 000013
【図１２】
2004090978.tif 000014